(57)【特許請求の範囲】
【請求項１】
一つ一つ違うように個別に作製される複数の印刷製品ないし複数の一品印刷製品を複数の印刷版胴を用いて輪転印刷機で印刷する一品印刷製品の印刷方法において、
転写すべき画像対象を、セグメント状の画像データの形にして、少なくとも二つの印刷版上に設け、
このとき、第１の印刷版上には、前記画像対象の各セグメントの第１の部分情報たる対応するインデックス指標を有する情報（ａ）を予め用意するとともに、第２の印刷版上には、前記画像対象の前記対応するセグメントのさらに先の部分情報たる対応するインデックス指標を有する情報（ｂ）を予め用意しておき、
前記印刷版胴を同期させて回転させることにより、前記画像対象の各セグメントに対する一つの全体情報たる各々組み合わされたインデックス指標を有する情報＜ａ，ｂ＞となるように、印刷面上で前記複数の部分情報を一緒にし、前記印刷版胴を１回転させる毎に、前記画像対象の各セグメントに対する前記インデックス指標を徐々に順列式に新たに組み替えて、印刷された各セグメントが一品印刷製品となるようにし、
この際、異なる周長を有する少なくとも二つの印刷版胴を用い、このとき、行番号ｉ＝１，２，…，ｍ及び列番号ｋ＝１，２，…，ｎを有するＡ（ｍ，ｎ）行列構造をなす部分情報（ａｉｋ）から前記第１の印刷版を作製するとともに、行番号ｊ＝１，２，…，ｍ＋１及び列番号ｋ＝１，２，…，ｎを有するＢ（ｍ＋１，ｎ）行列構造をなす部分情報（ｂｊｋ）から前記第２の印刷版を作製し、
これにより、これらの二つの印刷版から被印刷材料の上に印刷画像を転写するとき前記部分情報を一緒に組み合わせるようにし、
このとき、前記印刷版胴のｍ＋１回転後に製造が終了するまで、前記印刷版胴を１回転させる毎に、前記要素（ａｉｋ）と、行番号ｊが少なくとも一つ分だけ変えられた前記要素（ｂｊｋ）とからその都度一つのセグメントを印刷するようにし、
さらに、前記画像対象の前記セグメントの前記インデックス指標によって、一つ一つ違う個別の回路を製造するための導電性ないし絶縁性のパターンを印刷することを特徴とする一品印刷製品の印刷方法。
【請求項２】
一つ一つ違うように個別に作製される複数の印刷製品ないし複数の一品印刷製品を複数の印刷版胴を用いて輪転印刷機で印刷する一品印刷製品の印刷方法において、
転写すべき画像対象を、セグメント状の画像データの形にして、少なくとも二つの印刷版上に設け、
このとき、第１の印刷版上には、前記画像対象の各セグメントの第１の部分情報たる対応するインデックス指標を有する情報（ａ）を予め用意するとともに、第２の印刷版上には、前記画像対象の前記対応するセグメントのさらに先の部分情報たる対応するインデックス指標を有する情報（ｂ）を予め用意しておき、
前記印刷版胴を同期させて回転させることにより、前記画像対象の各セグメントに対する一つの全体情報たる各々組み合わされたインデックス指標を有する情報＜ａ，ｂ＞となるように、印刷面上で前記複数の部分情報を一緒にし、前記印刷版胴を１回転させる毎に、前記画像対象の各セグメントに対する前記インデックス指標を徐々に順列式に新たに組み替えて、印刷された各セグメントが一品印刷製品となるようにし、
この際、異なる周長を有する少なくとも二つの印刷版胴を用い、このとき、行番号ｉ＝１，２，…，ｍ及び列番号ｋ＝１，２，…，ｎを有するＡ（ｍ，ｎ）行列構造をなす部分情報（ａｉｋ）から前記第１の印刷版を作製するとともに、行番号ｊ＝１，２，…，ｍ＋１及び列番号ｋ＝１，２，…，ｎを有するＢ（ｍ＋１，ｎ）行列構造をなす部分情報（ｂｊｋ）から前記第２の印刷版を作製し、
これにより、これらの二つの印刷版から被印刷材料の上に印刷画像を転写するとき前記部分情報を一緒に組み合わせるようにし、
このとき、前記印刷版胴のｍ＋１回転後に製造が終了するまで、前記印刷版胴を１回転させる毎に、前記要素（ａｉｋ）と、行番号ｊが少なくとも一つ分だけ変えられた前記要素（ｂｊｋ）とからその都度一つのセグメントを印刷するようにし、
さらに、前記画像対象の前記セグメントの前記インデックス指標によって、一つ一つ違う個別のポリマー製の電子装置を製造するための個別のポリマー製の導体、絶縁体、及び半導体を印刷することを特徴とする一品印刷製品の印刷方法。
【請求項３】
一つ一つ違うように個別に作製される複数の印刷製品ないし複数の一品印刷製品を複数の印刷版胴を用いて輪転印刷機で印刷する一品印刷製品の印刷方法において、
転写すべき画像対象を、セグメント状の画像データの形にして、少なくとも二つの印刷版上に設け、
このとき、第１の印刷版上には、前記画像対象の各セグメントの第１の部分情報たる対応するインデックス指標を有する情報（ａ）を予め用意するとともに、第２の印刷版上には、前記画像対象の前記対応するセグメントのさらに先の部分情報たる対応するインデックス指標を有する情報（ｂ）を予め用意しておき、
前記印刷版胴を同期させて回転させることにより、前記画像対象の各セグメントに対する一つの全体情報たる各々組み合わされたインデックス指標を有する情報＜ａ，ｂ＞となるように、印刷面上で前記複数の部分情報を一緒にし、前記印刷版胴を１回転させる毎に、前記画像対象の各セグメントに対する前記インデックス指標を徐々に順列式に新たに組み替えて、印刷された各セグメントが一品印刷製品となるようにし、
この際、同じ周長を有する少なくとも二つの印刷版胴を用い、行番号ｉ＝１，２，…，ｍ及び列番号ｋ＝１，２，…，ｎを有するＡ（ｍ，ｎ）行列構造をなす部分情報（ａｉｋ）から前記第１の印刷版を作製するとともに、行番号ｉ＝１，２，…，ｍ及び列番号ｋ＝１，２，…，ｎを有するＢ（ｍ，ｎ）行列構造をなす部分情報（ｂｉｋ）から前記第２の印刷版を作製するようにし、
前記印刷版胴が１回転し終わる毎に、前記印刷版胴の一方を独立駆動部を用いて前記部分情報の周方向長さ分だけ周方向に徐々にずらし回転させ、
これにより、これらの二つの印刷版から被印刷材料の上に印刷画像を転写するとき前記行列要素（ａｉｋ）および行列要素（ｂｉｋ）を一緒に組み合わせるようにし、
このとき、前記印刷版胴のｍ回転後でかつ一方の前記印刷版胴を徐々にｍ−１回ずらし回転させた後に製造が終了するまで、前記印刷版胴を１回転させる毎に、前記要素（ａｉｋ）と、行番号ｉが少なくとも一つ分だけ変えられた前記要素（ｂｉｋ）とからその都度一つのセグメントを印刷するようにすることを特徴とする一品印刷製品の印刷方法。
【請求項４】
請求項１から３の何れか１項記載の印刷方法において、前記セグメント状の画像データが、行形式ならびに列形式の配列に予めフォーマット化されていることを特徴とする印刷方法。
【請求項５】
請求項３又は４に記載の印刷方法において、
前記画像対象の前記セグメントの前記インデックス指標によって、バーコードを印刷することを特徴とする印刷方法。
【請求項６】
請求項３又は４に記載の印刷方法において、
前記画像対象の前記セグメントの前記インデックス指標によって、一つ一つ違う個別のラベルを製造するための数字の組み合わせを印刷することを特徴とする印刷方法。
【請求項７】
請求項３又は４に記載の印刷方法において、
前記画像対象の前記セグメントの前記インデックス指標によって、一つ一つ違う個別の回路を製造するための導電性ないし絶縁性のパターンを印刷することを特徴とする印刷方法。
【請求項８】
請求項３又は４に記載の印刷方法において、
前記画像対象の前記セグメントの前記インデックス指標によって、一つ一つ違う個別のポリマー製の電子装置を製造するための個別のポリマー製の導体、絶縁体、及び半導体を印刷することを特徴とする印刷方法。
【請求項９】
請求項２又は８記載の印刷方法において、前記ポリマー製の電子装置が無線タグであることを特徴とする印刷方法。
【請求項１０】
請求項１から請求項４のいずれか１項に記載の印刷方法において、
印刷版胴をさらに増し加えることによって、前記画像対象の個々のセグメントの一つ一つ違う個別化の度合いを増やすことを特徴とする印刷方法。
【発明の詳細な説明】
【０００１】
【発明の属する技術分野】
本発明は、例えばオフセット印刷、グラビア印刷、フレキソ印刷、又はスクリーン印刷といった、輪転印刷機における通常の印刷の分野に係り、請求項１の前提部分おいて書き部に記載の輪転印刷機で、一品印刷製品（ウニカート）（Unikat）、すなわち一つ一つ違う個別に作製される印刷製品を印刷面上に印刷する方法に関する。
【０００２】
【従来の技術】
従来より、例えば本出願人によって開発されたデジタル印刷機を用いることによって、そのページにおいて然るべき領域が予め決められてさえいれば、胴が１回転する毎にテキストの一節、図版、及び画像を交換することが可能であることが知られている。こういったことは、異なるテンプレート（規準の字体による作成済みの様式パターン）を用いたり、文書全体をページ毎に再構成することによって行なうことができるため、どの冊子も情報の中身や見栄えに関して全く共通点を持たないような、全部特別に仕立てられた印刷製品が幾つも出来上がることになる。この意味において、複数の、つまり少なくとも二つのデータ流れが結び付けられる。これらのデータ流れは、例えば、一つには繰り返しのページ部分から、また一つには一回きりのページ部分から構成することができる。何度も必要になる部分は、現在の作業流れでは、予めＲＩＰ化され（geript）、蓄積され、必要に応じてビットマップデータとして引き出される。多様なデータは、データベースからいわゆるＲＩＰ／フロントエンドに引き渡される。どのデータベースを用るかは、どちらかというとあまり重要な意味をなさない。というのも、その中身は、いずれにせよ印刷システム用に処理可能なフォーマットになっているか、あるいはそのようなフォーマットに変換されなければならないからである。こういった技術的な手法から、デジタル印刷は、この当業分野ではダイナミック印刷とも呼ばれている。
【０００３】
変型印刷ないし一品印刷は、これまでのところ、電気的な、つまりはデジタル式の印刷方法（レーザー／インクジェット／熱転写）によってのみ可能となっている。それゆえ、例えば電子写真式（elektrofoto）、感熱式、インクジェット式のシステム等の場合、「１イメージ−１プリント」には、一品印刷物のそれぞれに対して蓄積データから直接画像形成することが必要になる。長所は、まさにこのとき、例えば値札におけるバーコードの製造、ナンバーの製造、あるいはまた、一つ一つ異なる個別のフライトのチケットの製造などのために、各印刷用のデータが変更可能であるという点にある。
【０００４】
時と共に高まりつつあるこの識別可能性、つまりは個別化への要望は、従来の大量生産型の印刷（例えば、オフセット印刷、グラビア印刷、フレキソ印刷、またはスクリーン印刷）においては目下適えられていない（全ての印刷物が同じ）。これが、これまでの所、その構成上むしろ大量に同じ物を印刷することに照準を合わせられた従来の印刷、換言すれば「静的な」印刷の欠陥になっている。「１イメージ−大量プリント」とは、多くの同じ印刷物を製造するために、版に画像形成したり、あるいは書き込み可能な胴に画像形成したりすることを意味する。この画像形成自身は、「コンピュータ・トゥ・フィルム（Computer-To-Film）」（デジタル式に組みつけられたフィルムのことで、さらには従来のように印刷する可能性も有する）あるいは「コンピュータ・トゥ・プレート（Computer-To-Plate）」（すなわち、印刷版ないしプレート上に直に印刷画像を露光するための方法）あるいは「コンピュータ・トゥ・プレス（Computer-To-Press）」（この方法は、独国特許出願公開第１９９３９２４０号明細書ないし独国特許公開第１９６２４４４１号明細書内に記載されているように、フィルムもプレートも必要としない）を用いて、完全にデジタル式で行なうことができる。無論、従来の印刷の印刷速度は、他と比べれば非常に速いものであり、しかも、変更可能なデータを用いる際に必要になるコスト高なフロントエンドシステムを問題にしない。
【０００５】
従来の印刷の場合、各輪転印刷機の核になる構成要素としての印刷装置が、印刷版胴上（オフセット印刷の場合にはゴムブランケット上）の印刷版から被印刷材料側に印刷画像を転写する機能を果たしている。通常の印刷装置の形態の例は、例えば、被印刷材料を単色印刷するための各印刷装置の３胴システム、あるいは、被印刷材料を両面印刷するための所謂二重印刷装置用の４胴システム、あるいは、６胴システムといったものであり、この６胴システムの場合には、印刷装置毎に被印刷材料が三つのゴムブランケット胴の間を導かれて２／１色で印刷され、すなわち、一つのゴムブランケット胴に、二つのシステムのゴムブランケット胴／印刷版胴が印刷装置毎に設けられている。輪転印刷機は、従来、円筒状の印刷版から印刷するため、印刷版と対向圧胴とは、印刷装置毎に連続的にかつそれぞれ互いに同期して回転するようになっている。輪転印刷機は、凸版印刷だけでなく、同じようにグラビア印刷にも、オフセット印刷にも用いられている。このとき、その構成、特に印刷装置の数は、もちろん用いられる方法に依存する。さらに、一つの印刷装置を構想する際の印刷装置のバリエーションは、極めて幅の広いものであり、ユニット式ないし組立モジュール式にして、予定されている製品の特徴に合わせて異なるものにすることができる。
【０００６】
【発明が解決しようとする課題】
本発明の課題は、したがって、従来の印刷（オフセット印刷、グラビア印刷等々）に用いることが可能で、複数の一品印刷製品ないし個別に作製される複数の印刷製品を輪転印刷機で印刷するための方法を提供することにある。
【０００７】
【課題を解決するための手段】
一つ一つ違うように個別に作製され収集列挙される複数の印刷製品ないし複数の一品印刷製品（Unikat）を複数の印刷版胴を用いながら輪転印刷機で印刷する一品印刷製品の印刷方法において、転写すべき画像対象を、セグメント状の画像データの形で、予め書式に従って主として行形式（zeilenweise）ならびに列形式（spaltenweise）に配列することでフォーマット化した状態で、少なくとも二つの印刷版上に形成し、このとき、第１の印刷版上には、前記画像対象の各セグメントの第１の部分情報ないし然るべき相応のインデックス指標を有する情報（ａ）を予め用意するとともに、第２の印刷版上には、前記画像対象の前記対応するセグメントのさらなる部分情報ないし然るべき相応のインデックス指標を有する情報（ｂ）を予め用意しておき、前記印刷版胴を同期させて回転させることにより、前記画像対象の各セグメントに対する一つの全体情報ないしその都度それぞれ組み合わされたインデックス指標を有する＜ａ，ｂ＞となるように、前記複数の部分情報を、印刷するページや面の上で一緒に結び付け、前記印刷版胴を１回転させる毎に、前記画像対象の各セグメントに対する前記インデックス指標ないし情報＜ａ，ｂ＞をステップ式に徐々に順列式に新たに組み替えて、印刷された各セグメントが一品印刷製品となるようにする印刷方法により、バーコードや予め形式が定められた（フォーマット化された）データセットからの数字といったような、よくある一品印刷製品を別にしても、一つ一つ異なる個別のポリマーエレクトロニクスを印刷することさえも可能になる。すなわち、電気回路をビット式に接続するブリッジ、適切に分極されたダイオード、又はその他の半導体、又は適切に構成された給電線等の電気的な個別のパターンを形成することがそれぞれ同じ電子装置に対して可能になる。
【０００８】
相応の電子装置を用いて書き込んだり、読み取ったりすることができるトランスポンダ・チップ（応答器）の製造は、数多く知られている（例えば、欧州特許公開第０８６５６４０号明細書または欧州特許出願公開第１０７９３９７号明細書を参照）。比較的安く製造できる電子装置として、すでに所定の導電性を有するポリマーが知られている。このポリマーを用いて、ポリマー製の導体、絶縁体、そして半導体を作製することができる。ポリマー製の導体、絶縁体、および半導体は、このように今日（例えば、欧州特許出願公開第１０７９３９７号明細書に示されるように）使用可能であるが、この種のポリマー製電子装置（例えば無線タグ）を大量生産するための価格的に魅力のある方法は、これまで知られていない。ここに本発明は端を発する。本発明の請求項１に係る方法を用いて印刷することで、基板および材料による安価な製品が可能になり、その結果、個別性と大量生産とのコストパフォーマンスの高い組み合わせを得ることができる。
【０００９】
前記印刷版胴を１回転させる毎に、前記画像対象の各セグメントに対する前記インデックス指標、（情報＜ａ，ｂ＞）を徐々に順列式に新たに組み替えて、製品の印刷されたセグメントのそれぞれが一品印刷製品となるようにすることによって、セグメント式に予め一定の書式に従って配列（フォーマット化）された一つ一つ異なる個別のブリッジをプリントして、このブリッジにより、電気的な構造体の電気回路をビット式に接続することができたり、あるいは、何度も繰り返される電気的なパターン（例えば、無線タグといったトランスポンダの基本パターン）のために、ダイオード、又は半導体、又は適切に構成された給電線等を捺染することができる。
【００１０】
【発明の実施の形態】
本発明による方法の第一の実施形態においては、異なる周長を有する少なくとも二つの印刷版胴（Druckformzylinder）を用い、このとき、行番号（Zeilenzahl）ｉ＝１，２，...，ｍ及び列番号（Spaltenzahl）ｋ＝１，２，...，ｎを有するＡ（ｍ，ｎ）行列構造（行列配置）（Matrixanordnung）をなす部分情報（Teilinformation）（ａｉｋ）から前記第１の印刷版（Druckform）を作製するとともに、行番号ｊ＝１，２，...，ｍ＋１及び列番号ｋ＝１，２，...，ｎを有するＢ（ｍ＋１，ｎ）行列構造をなす部分情報（ｂｊｋ）から前記第２の印刷版（Druckform）を作製し、これにより、これらの二つの印刷版から被印刷材料の上に印刷画像を転写するとき前記部分情報を一緒に組み合わせるようにし、このとき、前記印刷版胴のｍ＋１回転後に製造が終了するまで、前記印刷版胴を１回転させる毎に、前記要素（ａｉｋ）と、行番号ｊが少なくとも一つ分だけ変えられた前記要素（ｂｊｋ）とからその都度一つのセグメントを印刷するように考えられている。これは、例えば、それぞれ異なるように予めフォーマット化された印刷版を有する二つの印刷装置において実行することができる。印刷版１は、その外周部表面（Mantelflaeche）上に行列の配置に従って配分されたｍ×ｎ個の異なるインデックス指標を有するとともに、これらの指標に隣接した位置に印刷版２からの情報のための場所確保部（  ）をそれぞれ一つずつ有している（図１では、「印刷版１」は、セグメント式の情報（ａｉｋ）として＜ｍ，ｎ＞及び（  ）を用いて示されている）。印刷版２は、上記場所確保部に対応する位置ｊに、周方向に沿って列の中に配置されながらも行においては同じインデックス指標（この指標は、情報の中身の点では無論何でも構わないものである）を有するとともに、印刷版１のインデックス指標に対応する位置に、場所確保部＜  ＞を有している（図１では、「印刷版２」は、情報（ｂｊｋ）として＜  ＞（ｊ）を用いて示されている）。インデックス指標として、バーコード、或る数字の組み合わせ、又は任意の組み合わせの電気回路用の構造データ（Strukturinformation）を用いることができる。場合によっては、それぞれの行列のセルないしセグメントに、或る変動しない指標が挿入されてもよく、この指標は、例えば、製品の識別に用いられ（チャージナンバー）、一種のメモリー機能を提供する（どちらの胴の上かは同じ）。この指標は、製品を識別するための、バーコード、数字の組、又は任意の組み合わせによる電気回路（転送機能をも含む）用の構造情報（Strukturinformation）とすることができる。メモリー機能として、構造情報だけを用いることができる。印刷版は、その予めフォーマット化されたものを被印刷材料上に転写し、これにより、図２に示されるような、予めフォーマット化されていたものの組み合わせ＜ａ，ｂ＞が被印刷材料上に出来上がる。
【００１１】
用いられる構造体（Struktur）の大きさ、つまりセグメントの大きさによって、個体毎の大きさ、つまり一品印刷製品の大きさ（ｂ＝幅、ｈ＝高さ）が与えられる。二つの印刷版１，２の印刷幅はＢ＝ｎ×ｂ、印刷版１の周長はＵ１＝ｍ×ｈ、印刷版２の周長はＵ２＝ｊ×ｈ、すなわちＵ２＝（ｍ＋１）×ｈである。これらの値Ｂ、Ｕ１、及びＵ２は、印刷分野で常用されるような値（Ｂ＝０．５〜１．５ｍ、Ｕ１及びＵ２＝０．５〜１．５ｍ）に設定されるべきものである。これらｂ，ｈの値（構造体ないしセグメントの大きさ）は、組み合わせに応じて典型的には１ｍｍと５ｃｍとの間にあるが、これらｂ，ｈに対して遥かに小さな値や遥かに大きな値を用いることもできる。
【００１２】
〔実施例〕
Ｂ＝１ｍ、Ｕ１＝１ｍ、及びｂ＝ｈ＝１ｃｍに対して、例えばｍ＝ｎ＝１，２，...，１００であり、印刷版１上には１００００のセグメントが存在している。Ｕ２＝１．０１ｍとし、したがってｊ＝１，２，...，１０１とすると、印刷版２上には１０１個の同じ列が存在する。印刷時には、二つの胴は、それらに予めフォーマット化されている情報を被印刷材料上に過程に忠実に転写し、これにより、図２に描かれているような順のインデックス指標が出来上がる。印刷版１が１０１回転し終わったら、つまり、印刷版２が１００回転し終わったら製造が終了する。１０１００００個の一品印刷製品が印刷されたことになる。
【００１３】
一般には、ｍ×ｎ×ｊ個の一品印刷製品が、予めフォーマット化されたものの組み合わせによって（準備無しで）印刷することができる。ｊ≠ｍがＵ１≠Ｕ２である限り、印刷版１，２は異なる回転数を有するが、ただし同じ表面速度を有する。これは、例えば個々に駆動される印刷装置ないし胴によって実現することができる。
【００１４】
本発明による方法の第二の実施形態においては、同じ周長を有する少なくとも二つの印刷版胴を用い、行番号ｉ＝１，２，...，ｍ及び列番号ｋ＝１，２，...，ｎを有するＡ（ｍ，ｎ）行列構造をなす部分情報（ａｉｋ）から前記第１の印刷版を作製するとともに、行番号ｉ＝１，２，...，ｍ及び列番号ｋ＝１，２，...，ｎを有するＢ（ｍ，ｎ）行列構造をなす部分情報（ｂｉｋ）から前記第２の印刷版を作製するようにし、続いて、前記印刷版胴が１回転し終わる毎に、前記印刷版胴の一方を独立駆動部を用いて行列要素の高さ分だけ周方向にステップ式に徐々にずらし回転させ、これにより、これらの二つの印刷版から被印刷材料の上に印刷画像を転写するとき前記行列要素（ａｉｋ）および行列要素（ｂｉｋ）を一緒に組み合わせるようにし、このとき、前記印刷版胴のｍ回転後でかつ一方の前記印刷版胴を徐々にｍ−１回ずらし回転させた後に製造が終了するまで、前記印刷版胴を１回転させる毎に、前記要素（ａｉｋ）と、行番号ｉが少なくとも一つ分だけ変えられた前記要素（ｂｉｋ）とからその都度一つのセグメントを印刷するようにするように考えられている。こうして、ｊ＝ｍすなわちＵ１＝Ｕ２が選択され、個々の独立駆動によって一種の「ステップ式駆動」が可能となり、このステップ式駆動において、例えば印刷版１が回転し終わったまさにそのとき、印刷版２が、あるいはその逆でもよいが、構造体ないしセグメントの高さｈ分だけ周方向の見当がずらされるようにして回転される（必要ならば、間欠的に押すのを弱める）。
【００１５】
個別化の度合いをさらに高めることは、同じようにしてさらなる印刷装置を用いて行なうことができる。
【００１６】
この個別化は、当面の印刷に必要な、全体の組の中の部分的な組だけが用いられるようにして、（例えば、インテリジェント包装材料を印刷するため）従来の印刷使用例とも組み合わせることができる。不必要な部分は、例えば、電気的にスイッチが入れられなかったり、壊されたりし、あるいは、導電性材料で重ね塗りすることによって使えなくすることができる。これとは異なり、必要な部分だけ接触させたり、アンテナを設けたりすることができる。
【図面の簡単な説明】
【図１】  セグメント状に予めフォーマット化され、行列の配置の情報を有する印刷版を示す図である。
【図２】  二つの印刷版を組み合わせて印刷した場合の被印刷材料上に印刷される情報を示す図である。
【図１】
0004018489.tif 000002
【図２】
0004018489.tif 000003